【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
プロセス制御環境におけるモバイルデバイスのコンテキスト動作のための方法であって、
前記プロセス制御環境におけるプロセスエンティティを識別するために情報をモバイルデバイスで取得することと、
前記プロセスエンティティとの前記モバイルデバイスの近接性を判定することと、
前記プロセスエンティティに関連する目標機能に関する情報を含む前記プロセスエンティティに関連する作業項目データを前記モバイルデバイスで識別することと、および
前記取得した情報及び前記識別された作業項目データに応答して、前記プロセスエンティティに関連する目標機能の実施を容易にするために前記モバイルデバイスでのイベントを自動的にトリガすることと
を含む、方法。
【請求項２】
前記プロセスエンティティが、（ｉ）プロセス制御デバイス、又は（ｉｉ）前記プロセス制御環境における領域である、請求項１に記載の方法。
【請求項３】
前記プロセスエンティティに関連する目標機能が、前記プロセスエンティティに関連するスケジュールされたタスクである、請求項１又は２に記載の方法。
【請求項４】
前記プロセスエンティティに関連する目標機能の実施を容易にするために前記モバイルデバイスでのイベントをトリガすることが、
（ｉ）前記スケジュールされたタスクを実行することに該当する命令を前記モバイルデバイスに提供させること、
（ｉｉ）前記スケジュールされたタスクを実行するためのアプリケーションを前記モバイルデバイスに立ち上げさせること、又は
（ｉｉｉ）前記スケジュールされたタスクを実行するためのインターフェースを前記モバイルデバイスに提供させること
のうちの少なくとも１つを含む、請求項３に記載の方法。
【請求項５】
前記プロセスエンティティに関連する目標機能が、前記プロセスエンティティに関連する許可検証機能であり、
前記モバイルデバイスでのイベントをトリガすることが、前記モバイルデバイスに、
前記モバイルデバイスを動作させるユーザに関連するユーザＩＤを識別させることと、
前記プロセスエンティティに関連する許可トークンを識別させることと、
前記ユーザＩＤ及び前記許可トークンに基づいて、前記プロセス制御エンティティに関連するパラメータの修正を前記ユーザが許される程度を示す許可レベルを判定させることと、および
前記許可レベルによって示される程度に前記プロセスエンティティに関連するパラメータを修正するためのインターフェースを提供させることと
を含む、請求項１〜４のいずれか一項に記載の方法。
【請求項６】
前記プロセスエンティティに関連する目標機能がアラーム検査機能であり、並びに
前記モバイルデバイスでのイベントをトリガすることが、前記モバイルデバイスに、前記プロセスエンティティに関連するアラームを識別させ、および前記アラームの指標を提供させることとを含む、請求項１〜５のいずれか一項に記載の方法。
【請求項７】
前記プロセスエンティティに関連する目標機能が場所判定機能であり、並びに
前記モバイルデバイスでのイベントをトリガすることが、前記モバイルデバイスに、
前記プロセス制御エンティティに関連する場所を判定させること、および
前記プロセス制御環境内の前記プロセスエンティティの場所を表示するマップグラフィックを提供させることと
を含む、請求項１〜６のいずれか一項に記載の方法。
【請求項８】
前記プロセス制御環境におけるプロセスエンティティを識別するために情報を取得することが、前記プロセス制御環境におけるプロセスエンティティに該当する固定の空間的関係性を有するコンテキスト識別デバイスからタグデータを取得することを含み、前記タグデータが一意の識別子を含む、請求項１〜７のいずれか一項に記載の方法。
【請求項９】
前記コンテキスト識別デバイスが無線送信器であり、および
前記タグデータを取得することが、前記無線送信器によって放出され、前記タグデータを搬送する無線周波数信号を検出することを含む、請求項８に記載の方法。
【請求項１０】
前記コンテキスト識別デバイスがバーコードであり、および
前記タグデータを取得することが、前記バーコードのイメージを取り込むこと、および前記タグデータを識別するために前記バーコードを解析することとを含む、
請求項８に記載の方法。
【請求項１１】
前記プロセス制御環境におけるプロセスエンティティを識別するために情報を取得することが、前記プロセスエンティティに関連するイメージを一意に取り込むことを含む、請求項１〜１０のいずれか一項に記載の方法。
【請求項１２】
前記プロセス制御環境におけるプロセスエンティティを識別するために情報を取得することが、音声信号を取り込むこと及び前記音声信号が前記プロセスエンティティに相互に関連することを判定することを含む、請求項１〜１１のいずれか一項に記載の方法。
【請求項１３】
前記プロセス制御環境におけるプロセスエンティティを識別するために情報を取得することが、
（ｉ）前記モバイルデバイス上のアンテナ、又は（ｉｉ）前記モバイルデバイスの動き又は位置を検出するための前記モバイルデバイス上のセンサ、のうちの少なくとも１つから場所情報を取得することと、
前記場所情報に基づいて場所を判定すること、および
前記プロセスエンティティが前記場所と関連付けられることを判定することと
を含む、請求項１〜１２のいずれか一項に記載の方法。
【請求項１４】
プロセス制御環境におけるコンテキスト依存動作のためのモバイルデバイスであって、
プロセス制御環境におけるプロセスエンティティに関連する情報を取得するように構成される第１の回路と、
前記第１の回路に通信可能に接続され、前記取得した情報に基づいて前記プロセスエンティティを識別するように構成される、プロセッサと、および
前記プロセッサに通信可能に接続され、前記プロセスエンティティに関連する目標機能を示す前記プロセスエンティティに関連する作業項目データを受信するように構成される、ネットワークインターフェースと
を備え、
前記プロセッサが、（ｉ）前記プロセスエンティティとの前記モバイルデバイスの近接性及び（ｉｉ）前記作業項目データに応答して、前記プロセスエンティティに関連する目標機能の実施を容易にするためにイベントをトリガする、モバイルデバイス。
【請求項１５】
前記情報が一意の識別子であり、
前記第１の回路が、前記一意の識別子を搬送する無線周波数信号を受信するためのアンテナである、請求項１４に記載のモバイルデバイス。
【請求項１６】
（ｉ）前記第１の回路が、前記情報を含むイメージを取り込むためのカメラである、及び／又は（ｉｉ）前記情報を取得するように構成される第１の回路が、マイクロフォンで受信した音声信号から情報を取得するマイクロフォンである、及び／又は（ｉｉｉ）前記情報を取得するように構成される第１の回路が、前記モバイルデバイスの移動に基づく情報を取得する振動センサである、請求項１４又は１５に記載のモバイルデバイス。
【請求項１７】
前記プロセッサが、前記ネットワークインターフェースに、前記プロセスエンティティに関連する情報をサーバに伝送させるように構成され、および
前記ネットワークインターフェースが、前記サーバから前記プロセスエンティティに関連する作業項目データを受信する、請求項１４〜１６のいずれか一項に記載のモバイルデバイス。
【請求項１８】
プロセスプラントのコンテキスト依存動作のためのプロセス制御システムであって、
プロセス制御環境におけるプロセスエンティティと、
前記プロセスエンティティに関連する目標機能を指定する、前記プロセスエンティティに関連する作業項目を生成するように動作可能な監視エンジンと、並びに
モバイルデバイスと、
を備え、前記モバイルデバイスが、
前記監視エンジンによって生成された作業項目を無線で取得し、
前記作業項目を前記モバイルデバイスのユーザが受け取っているという指標を生成し、
前記指標を前記監視エンジンに伝送し、および
前記目標機能の実施を容易にするためにイベントをトリガする、
ように動作可能である、
プロセス制御システム。
【請求項１９】
前記監視エンジンによって生成された作業項目を無線で取得することが、
前記モバイルデバイスが前記作業項目を受信することに関する要求を前記監視エンジンに伝送することと、
前記監視エンジンが前記要求を受信することと、および
前記監視エンジンが前記作業項目を前記モバイルデバイスに伝送することと
を含む、請求項１８に記載のプロセス制御システム。
【請求項２０】
前記プロセスエンティティに関連する目標機能が、前記プロセスエンティティに関連するスケジュールされたタスクである、請求項１８又は１９に記載のプロセス制御システム。
【請求項２１】
前記作業項目を前記モバイルデバイスのユーザが受け取っているという指標を生成することが、前記ユーザが前記目標機能の実施を許されるかどうかを判定することを含む、請求項１８〜２０のいずれか一項に記載のプロセス制御システム。
【請求項２２】
前記プロセスエンティティに関連する作業項目を生成することが、エキスパートシステムからデータを受信することと、および前記エキスパートシステムから受信したデータに従って前記作業項目を作成することとを含む、請求項１８〜２１のいずれか一項に記載のプロセス制御システム。